【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
遊技者にとって有利な遊技状態である特定遊技状態と、前記特定遊技状態とは異なる第１の遊技状態とを少なくとも実行し、遊技に関する信号を出力可能であって、前記特定遊技状態が開始したことのみを示す特定遊技状態開始信号を出力し、当該特定遊技状態が終了したことを示す信号を出力しない出力手段を備える遊技機から、前記信号を受信する管理装置であって、
前記管理装置は、
前記特定遊技状態開始信号を、前記遊技機から受信する受信手段と、
前記特定遊技状態開始信号に基づいて前記特定遊技状態の開始を判定する開始判定手段と、
所定の条件が満たされると前記特定遊技状態が終了したと判定する終了判定手段と、
前記開始判定手段と前記終了判定手段に基づいて遊技区間を特定する遊技区間特定手段と、
前記受信手段で受信された前記遊技に関する信号を用いて遊技に関する所定のデータを算出する演算手段と、
を有し、
前記演算手段は、前記受信手段で受信された前記遊技に関する信号のうち前記遊技区間において受信された遊技に関する信号を用いて算出した遊技に関するデータを、前記特定遊技状態に関するデータとして集計する
ことを特徴とする管理装置。
【請求項２】
前記遊技機に１対１に対応して設けられた情報表示装置に対して情報を送信可能な情報送信手段を有する
ことを特徴とする請求項１に記載の管理装置。
【請求項３】
前記終了判定手段は、複数の判定方法の中から選択された方法を、前記特定遊技状態が終了したことの判定に使用可能である
ことを特徴とする請求項１または２に記載の管理装置。
【手続補正２】
【補正対象書類名】明細書
【補正対象項目名】０００１
【補正方法】変更
【補正の内容】
【０００１】
本発明は、遊技者にとって有利な遊技状態である特定遊技状態と、前記特定遊技状態とは異なる第１の遊技状態とを少なくとも実行し、遊技に関する信号を出力可能であって、前記特定遊技状態が開始したことのみを示す特定遊技状態開始信号を出力し、当該特定遊技状態が終了したことを示す信号を出力しない出力手段を備える遊技機から、前記信号を受信する管理装置に関する。
【手続補正３】
【補正対象書類名】明細書
【補正対象項目名】０００２
【補正方法】変更
【補正の内容】
【０００２】
従来、スロットマシンにおける遊技情報を管理する管理装置としては、例えば、遊技者にとって有利となる特別遊技状態であるボーナスの発生に起因して、リプレイ入賞が高確率で発生することにより遊技者にとって有利となるリプレイタイム状態中においてスロットマシンから外部出力されるリプレイタイム（ＲＴ）中信号に基づいてリプレイタイム（ＲＴ）期間を特定し、該ボーナス以外の有利な状態であるリプレイタイム（ＲＴ）期間の情報を算出して表示するものがある（例えば、特許文献１参照）。
【手続補正４】
【補正対象書類名】明細書
【補正対象項目名】０００４
【補正方法】変更
【補正の内容】
【０００４】
しかしながら、特許文献１にあっては、ボーナス以外の有利な状態の一例であるリプレイタイム（ＲＴ）期間をスロットマシンから外部出力されるリプレイタイム（ＲＴ）中信号に基づいて特定するので、これらリプレイタイム（ＲＴ）中信号が出力されないスロットマシンについては、該ボーナス以外の有利な状態であるリプレイタイム（ＲＴ）期間の情報を提供することができないという問題があった。
【手続補正５】
【補正対象書類名】明細書
【補正対象項目名】０００５
【補正方法】変更
【補正の内容】
【０００５】
本発明は、このような問題点に着目してなされたもので、管理するスロットマシン（遊技機）がリプレイタイム（ＲＴ）中信号のようにボーナス以外の有利な状態中であることを示す信号を出力しないスロットマシンであっても、該ボーナス以外の有利な状態（特定遊技状態）の情報を提供することのできる管理装置を提供することを目的とする。
【手続補正６】
【補正対象書類名】明細書
【補正対象項目名】０００６
【補正方法】変更
【補正の内容】
【０００６】
上記課題を解決するために、本発明の請求項１に記載の管理装置は、
遊技者にとって有利な遊技状態である特定遊技状態と、前記特定遊技状態とは異なる第１の遊技状態とを少なくとも実行し、遊技に関する信号を出力可能であって、前記特定遊技状態が開始したことのみを示す特定遊技状態開始信号を出力し、当該特定遊技状態が終了したことを示す信号を出力しない出力手段を備える遊技機から、前記信号を受信する管理装置であって、
前記管理装置は、
前記特定遊技状態開始信号を、前記遊技機から受信する受信手段と、
前記特定遊技状態開始信号に基づいて前記特定遊技状態の開始を判定する開始判定手段と、
所定の条件が満たされると前記特定遊技状態が終了したと判定する終了判定手段と、
前記開始判定手段と前記終了判定手段に基づいて遊技区間を特定する遊技区間特定手段と、
前記受信手段で受信された前記遊技に関する信号を用いて遊技に関する所定のデータを算出する演算手段と、
を有し、
前記演算手段は、前記受信手段で受信された前記遊技に関する信号のうち前記遊技区間において受信された遊技に関する信号を用いて算出した遊技に関するデータを、前記特定遊技状態に関するデータとして集計する
ことを特徴としている。
また、本発明の請求項２に記載の管理装置は、請求項１に記載の管理装置であって、
前記遊技機に１対１に対応して設けられた情報表示装置に対して情報を送信可能な情報送信手段を有する
ことを特徴としている。
また、本発明の請求項３に記載の管理装置は、請求項１または２に記載の管理装置であって、
前記終了判定手段は、複数の判定方法の中から選択された方法を、前記特定遊技状態が終了したことの判定に使用可能である
ことを特徴としている。
これらの特徴によれば、特定遊技状態の情報を提供することができる。
また、本発明の手段１に記載の管理装置は、
１ゲームに対して遊技媒体に基づく所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされ、入賞が発生したときに該発生した入賞に応じた数の遊技媒体が遊技者に付与され、所定の移行条件が成立したときに、１ゲームあたりの遊技媒体の期待増減率が１を超える期待増状態へ移行する複数のスロットマシンにおける遊技情報を集中管理する管理装置であって、
前記賭数を特定可能な賭数情報と、前記入賞に応じて付与される遊技媒体の数を特定可能な付与情報と、所定の特別入賞役の発生により移行する特別遊技状態である期間を特定可能な特別遊技状態期間特定情報が入力される情報入力手段と、
前記賭数情報に基づいてゲーム数を特定するゲーム数特定手段と、
前記ゲーム数特定手段が特定したゲーム数と、前記情報入力手段に入力される前記付与情報に基づいて、前記期待増状態への移行を判定する判定手段と、
前記判定手段における前記期待増状態への移行の判定に利用する判定方法を、前記情報入力手段に入力された前記賭数情報から特定される賭数と前記情報入力手段に入力された前記付与情報から特定される遊技媒体の数との差数による第１判定方法と、前記情報入力手段に入力された前記付与情報に基づく特定役の発生頻度による第２判定方法とを含む複数の判定方法のうちから設定する設定手段と、
前記情報入力手段に入力された前記賭数情報と前記付与情報とに基づいて、前記特別遊技状態と前記期待増状態とからなる１単位期間における前記賭数と付与される遊技媒体の数との差数を算出する算出手段と、
該算出手段にて算出された１単位期間における差数を特定可能な１単位期間差数特定情報を表示する１単位期間差数特定情報表示手段と、
前記情報入力手段に入力される情報に基づいて、１の前記特別遊技状態が終了してから次の前記特別遊技状態に移行するまでの特別遊技状態間における前記期待増状態への移行状況を特定可能な期待増移行情報を表示する期待増移行情報表示手段と、
を備え、
前記設定手段においては、前記第１判定方法のみを利用する設定、前記第２判定方法のみを利用する設定、前記第１判定方法と前記第２判定方法とを併用して利用する設定が可能である
ことを特徴としている。
この特徴によれば、管理するスロットマシンがリプレイタイム（ＲＴ）中信号を出力しないスロットマシンであっても、特別遊技状態と期待増状態とからなる１単位期間の獲得遊技媒体数（ＴＹ）の情報を提供することができる。また、特別遊技状態間における期待増状態への移行状況も提供できる。
【手続補正７】
【補正対象書類名】明細書
【補正対象項目名】０００７
【補正方法】変更
【補正の内容】
【０００７】
本発明の手段２に記載の管理装置は、
１ゲームに対して遊技媒体に基づく所定数の賭数を設定することによりゲームが開始可能となるとともに、各々が識別可能な複数種類の図柄を変動表示可能な可変表示装置（リール２Ｌ、２Ｃ、２Ｒ、透過領域５１ｂ）に表示結果が導出表示されることにより１ゲームが終了し、該可変表示装置の表示結果に応じて入賞が発生可能とされ、入賞が発生したときに該発生した入賞に応じた数の遊技媒体が遊技者に付与され、
所定の移行条件が成立したときに、新たな賭数を設定することなく再ゲームが可能とされるリプレイ入賞役が発生する可能性の高いリプレイタイム状態へ移行する複数のスロットマシンにおける遊技情報を集中管理する管理装置であって、
前記賭数を特定可能な賭数情報（メダルＩＮ信号）と、前記入賞に応じて付与される遊技媒体の数を特定可能な付与情報（メダルＯＵＴ信号）と、所定の特別入賞役の発生により移行する特別遊技状態である期間を特定可能な特別遊技状態期間特定情報（ＢＢ１信号、ＢＢ２信号、ＲＢ信号）が入力されるか、若しくは前記賭数情報と前記付与情報と前記特別遊技状態期間特定情報に加えて前記ゲームが実施されたことを特定可能なゲーム実施情報（メダルＩＮ信号）或いは前記リプレイ入賞役が発生した旨のリプレイ入賞情報（リプレイ信号）が入力される情報入力手段（収集ユニット５０、第１ポート５８１〜第４ポート５８４）と、
前記情報入力手段に入力される情報に基づいて、前記リプレイタイム状態への移行を判定するとともに、通常状態から前記特別遊技状態または前記リプレイタイム状態への移行より、前記特別遊技状態または前記リプレイタイム状態から通常状態に移行するまでの期間である１単位期間（１単位）を特定する１単位期間特定手段（制御マイコン（ＭＰＵ）５７９；１単位判定処理）と、
前記１単位期間特定手段における前記リプレイタイム状態への移行の判定に利用する利用判定方法を、前記情報入力手段に入力された前記賭数情報から特定される賭数と前記情報入力手段に入力された前記付与情報から特定される遊技媒体の数との差数による第１判定方法と、前記情報入力手段に入力された前記付与情報に基づく特定役の発生頻度による第２判定方法とを含む複数の判定方法のうちから選択して設定する設定手段と、
前記情報入力手段に入力された賭数情報と付与情報とに基づいて、前記１単位期間特定手段にて特定した１単位期間における賭数と付与遊技媒体数との差数（単位獲得メダル数；単位ＴＹ、単位ＴＹ平均）を算出する算出手段（台別遊技状態履歴テーブル）と、
該算出手段にて算出された１単位期間における差数を特定可能な１単位期間差数特定情報（台別遊技情報画面２）を表示する１単位期間差数特定情報表示手段（ＣＰＵ１４２、台別遊技情報表示処理、表示装置１４７）と、
前記情報入力手段に入力される情報に基づいて、１の特別入賞役の期間が終了してから次の特別入賞役が入賞するまでの特別入賞間における前記リプレイタイム状態への移行状況を記憶するリプレイタイム移行状況記憶手段と、
前記リプレイタイム移行状況記憶手段に記憶された特別入賞間における前記リプレイタイム状態への移行状況を特定可能なリプレイタイム移行情報を表示するリプレイタイム移行情報表示手段と、
を備え、
前記設定手段においては、前記第１判定方法のみを利用する設定、前記第２判定方法のみを利用する設定、前記第１判定方法と前記第２判定方法とを併用して利用する設定が可能であり、
前記１単位期間特定手段は、前記設定手段により設定されている利用判定方法を用いて、前記情報入力手段に入力される前記ゲーム実施情報、前記付与情報、前記リプレイ入賞情報の少なくともいずれかの情報に基づいて前記リプレイタイム状態への移行を判定する
ことを特徴としている。
この特徴によれば、管理するスロットマシンがリプレイタイム（ＲＴ）中信号を出力しないスロットマシンであっても、特別入賞役が発生している期間並びにリプレイタイム（ＲＴ）期間を含む１単位期間の獲得遊技媒体数（ＴＹ）の情報を提供することができる。また、特別入賞間におけるリプレイタイム状態への移行状況も提供できる。
【手続補正８】
【補正対象書類名】明細書
【補正対象項目名】０００８
【補正方法】変更
【補正の内容】
【０００８】
本発明の手段３に記載の管理装置は、手段２に記載の管理装置であって、
前記スロットマシンは、前記特別入賞役が発生したときに、前記移行条件が成立する確率が通常状態よりも高められたチャンスゾーン状態となり、該チャンスゾーン状態中において前記移行条件が成立したことを条件として前記リプレイタイム状態に移行するスロットマシンであって、
前記情報入力手段には、前記チャンスゾーン状態の期間を特定可能なチャンスゾーン期間特定情報（ＢＢ１信号、ＢＢ２信号、ＲＢ信号、メダルＩＮ信号、メダルＯＵＴ信号）が入力され、
前記１単位期間特定手段（制御マイコン（ＭＰＵ）５７９；１単位判定処理）は、前記情報入力手段に入力されるチャンスゾーン期間特定情報に基づいて、チャンスゾーン状態の期間を含む１単位期間を特定することを特徴としている。
この特徴によれば、チャンスゾーン状態となるスロットマシンについても、これらチャンスゾーン状態中の期間を含む１単位期間の獲得遊技媒体数（ＴＹ）の情報を提供することができる。
【手続補正９】
【補正対象書類名】明細書
【補正対象項目名】０００９
【補正方法】変更
【補正の内容】
【０００９】
本発明の手段４に記載の管理装置は、手段３に記載の管理装置であって、
前記１単位期間特定手段は、
前記チャンスゾーン期間特定情報により特定されるチャンスゾーン期間中において前記リプレイタイム状態に移行したか否かを判定し、
前記リプレイタイム状態に移行していないと判定したとき（チャンスゾーン判定処理にてチャンスゾーン終了と判定されたとき）は、該判定の対象としたチャンスゾーン期間を含まない１単位期間（１単位）を特定することを特徴としている。
この特徴によれば、結果的に遊技者にとって利益のなかったリプレイタイム状態に移行しないチャンスゾーン期間を除外した、より適切な１単位期間の獲得遊技媒体数（ＴＹ）の情報を提供することができる。
【手続補正１０】
【補正対象書類名】明細書
【補正対象項目名】００１０
【補正方法】変更
【補正の内容】
【００１０】
本発明の手段５に記載の管理装置は、手段３または手段４に記載の管理装置であって、
前記スロットマシンが、前記リプレイタイム状態の終了後に前記チャンスゾーン状態に再度移行する再突入型のスロットマシンであるか否かを設定するための再突入機種設定手段（ホールコンピュータ１４０、ＲＴ関連設定画面）を備え、
前記１単位期間特定手段（制御マイコン（ＭＰＵ）５７９；リプレイタイム判定処理、１単位判定処理）は、前記リプレイタイム状態の終了を判定し、該判定したリプレイタイム状態の終了を新たなチャンスゾーン状態の発生とし、該新たなチャンスゾーン状態を含む１単位期間（１単位）を特定することを特徴としている。
この特徴によれば、再突入型のスロットマシンについても、新たなチャンスゾーン状態を含むより適切な１単位期間の獲得遊技媒体数（ＴＹ）の情報を提供することができる。
【手続補正１１】
【補正対象書類名】明細書
【補正対象項目名】００１１
【補正方法】変更
【補正の内容】
【００１１】
本発明の手段６に記載の管理装置は、手段３〜手段５のいずれかに記載の管理装置であって、
前記スロットマシンが、所定操作の実施により前記チャンスゾーン状態に移行する操作突入型のスロットマシンであるか否かを設定するための操作突入機種設定手段（ホールコンピュータ１４０、ＲＴ関連設定画面）を備え、
前記１単位期間特定手段（制御マイコン（ＭＰＵ）５７９；ＳＫ１７、Ｓｙ４）は、前記スロットマシンが前記操作突入機種設定手段にて操作突入型のスロットマシンであると設定されているとき（ＳＫ１６、Ｓｙ３で「Ｙｅｓ」）は、前記所定操作が実施されたことを特定若しくは推定するための所定の操作対応条件の成立（設定変更信号の入力、接続確認要求の受信）に基づいて、前記チャンスゾーン状態の開始を判定し、該開始を判定したチャンスゾーン状態を含む１単位期間（１単位）を特定することを特徴としている。
この特徴によれば、操作突入型のスロットマシンについても、所定操作の実施によるチャンスゾーン状態を含むより適切な１単位期間の獲得遊技媒体数（ＴＹ）の情報を提供することができる。
【手続補正１２】
【補正対象書類名】明細書
【補正対象項目名】００１２
【補正方法】変更
【補正の内容】
【００１２】
本発明の手段７に記載の管理装置は、手段１〜手段６のいずれかに記載の管理装置であって、
前記１単位期間特定手段（制御マイコン（ＭＰＵ）２７９；リプレイタイム判定処理）が前記リプレイタイム状態の移行または終了の判定に使用する情報を、前記ゲーム実施情報、前記付与情報および前記リプレイ入賞情報の内、いずれの情報とするかを設定するためのリプレイタイム判定情報種別設定手段（ホールコンピュータ１４０、ＲＴ関連設定画面）を備え、
前記１単位期間特定手段は、前記リプレイタイム判定情報種別設定手段にて設定された情報に基づいて、前記リプレイタイム状態の移行または終了を判定し、該判定したリプレイタイム状態を含む１単位期間（１単位）を特定することを特徴としている。
この特徴によれば、リプレイタイムの開始および／または終了条件の異なるスロットマシンについても、的確にリプレイタイムの期間を特定できるので、正確な１単位期間の獲得遊技媒体数（ＴＹ）の情報を提供することができる。
【手続補正１３】
【補正対象書類名】明細書
【補正対象項目名】００１３
【補正方法】変更
【補正の内容】
【００１３】
本発明の手段８に記載の管理装置は、手段１〜手段７のいずれかに記載の管理装置であって、
前記１単位期間特定手段は、移行を判定した前記リプレイタイム状態の終了を、該リプレイタイム状態への移行を判定した条件とは異なる条件にて判定することを特徴としている。
この特徴によれば、リプレイタイム状態の終了を、リプレイタイム状態への移行を判定した条件とは異なる条件にて判定できる。
【手続補正１４】
【補正対象書類名】明細書
【補正対象項目名】００１４
【補正方法】変更
【補正の内容】
【００１４】
本発明の手段９に記載の管理装置は、手段１〜手段８のいずれかに記載の管理装置であって、
前記設定手段においては、前記利用判定方法として複数の判定方法を選択して設定可能であって、
前記１単位期間特定手段は、前記利用判定方法に設定されている全ての判定方法によって前記リプレイタイム状態への移行が判定されたことにより前記リプレイタイム状態への移行と判定することを特徴としている。
この特徴によれば、複数の判定方法を選択することで、互いの判定方法の弱点を補完できる。
【手続補正１５】
【補正対象書類名】明細書
【補正対象項目名】００１５
【補正方法】変更
【補正の内容】
【００１５】
本発明の手段１０に記載の管理装置は、手段９に記載の管理装置であって、
前記判定方法には、前記設定手段において他の判定方法とともに重複して選択可能であって、重複して選択された他の判定方法と連携して前記１単位期間特定手段による判定が実施される連携判定方法と、他の判定方法と連携せずに単独にて前記１単位期間特定手段による判定が実施される独立判定方法とが含まれ、
前記設定手段においては、前記連携判定方法と前記独立判定方法とが選択可能である、
ことを特徴としている。
この特徴によれば、単独判定方法と連携判定方法とを利用した判定を行うことができる。